(57)【要約】【課題】津波などの非常事態が発生する場合以外の平常時にも近隣の人々のために機能を果たせるようにした津波・洪水等の非常事態からの避難装置を提供することにある。【解決手段】地盤側から立設された支柱と、支柱の上部に設けた避難ステージと、避難ステージに登降するための登降手段とを備えた津波・洪水等の非常事態からの避難装置であって、前記登降手段は、階段と滑り台とからなることを特徴とする津波・洪水等の非常事態からの避難装置である。【選択図】図２
2008088792.tif 000002
【特許請求の範囲】
【請求項１】
地盤側から立設された支柱と、支柱の上部に設けた避難ステージと、避難ステージに登降するための登降手段とを備えた津波・洪水等の非常事態からの避難装置であって、前記登降手段は、階段と滑り台とからなることを特徴とする津波・洪水等の非常事態からの避難装置。
【発明の詳細な説明】
【技術分野】
【０００１】  本発明は、津波や洪水、土石流や土砂崩れなどの非常事態からの避難装置に関する。
【背景技術】
【０００２】  津波避難用タワーである非常事態からの避難装置は、地盤にコンクリート基礎を設け、同基礎の複数点からそれぞれ支柱を立設するとともに、これら支柱間を横連結材でつなぎ、さらに上端に避難ステージを備えて構成される。そして、前記避難ステージへの登降手段は、装置の外回りあるいは内回りに複数の直線式階段によって構成される。
【発明の開示】
【発明が解決しようとする課題】
【０００３】  この避難装置は、専ら地震後に発生する津波襲来に備えて近隣の人々が登って避難するために構成されるもので、それ以外のときには機能しないものである。
上記に鑑み、本発明は、津波などの非常事態が発生する場合以外の平常時にも近隣の人々のために機能を果たせるようにした津波・洪水等の非常事態からの避難装置を提供することにある。
【課題を解決するための手段】
【０００４】  上記課題を解決するため、請求項１記載の発明は、地盤側から立設された支柱と、支柱の上部に設けた避難ステージと、避難ステージに登降するための登降手段とを備えた津波・洪水等の非常事態からの避難装置であって、前記登降手段は、階段と滑り台とからなることを特徴とする津波・洪水等の非常事態からの避難装置である。
【発明の効果】
【０００５】  本発明によれば、津波などの非常事態が発生する場合以外の平常時にも近隣の人々のために機能を果たせるようにした津波・洪水等の非常事態からの避難装置を提供することができる。
【発明を実施するための最良の形態】
【０００６】  以下の各実施形態で説明する個々の提案例は他の実施形態にも適用されるものとする。
図１および図２は、本発明に係る津波・洪水などの非常事態からの避難装置（津波避難用タワーと称することもある）Ｔの一実施形態を示し、これらの図において、１はコンクリート製の中央基礎で、その上に正三角形の頂点位置に対応する３本の支柱２…が立設固定されている。同支柱２は、ここでは丸鋼管製でメッキ処理したものになっているが、角パイプやＨ型鋼やアングル鋼などでもよい。また、同支柱２は、それぞれが１本ものになっているが、各支柱２が複数部材の組み合わせによるものでもよい。例えば、４本の細目の丸パイプを合わせて１本化したものなどである。支柱２の本数は３本に限定されず４本以上でもよい。後述するように２本あるいは１本の場合もある。
支柱２は、下端に取付座３を備えていて、前記アンカーボルトに止めナットにより連結されるようになっている。【０００７】  この支柱２は、津波の襲来想定高さより２ｍ以上高いものとされるとともに、その高さ方向途中には、Ｈ型鋼などでなる中段横連結梁４が上からみて三角形をなすように横架一体化されているとともに、これら横連結材４…で囲まれた面内には平坦な中段避難ステージ５が設けられ、その回りに安全のための手摺り６が設けられている。【０００８】  前記支柱２の上端には、相互間をつなぐ上段横連結材（図示省略）が上からみて三角形をなすように一体化されるとともに、この上段横連結材の外周囲には、三角形の頂点部分をカットした形とされた外側受枠７が上段横連結材に同心状に設けられ、上段横連結材・支柱２側に対しこの外側受枠７は連結材を介して一体に連結固定されている。外側受枠７の面内全体は平坦な上段避難ステージ８として形成され、この上段避難ステージ８の外周囲には安全のための手摺り９が設けられている。上段横連結材の外周囲に外側受枠７を設けたのは上段避難ステージ８を広く提供できるようにするためであり、同外側受枠７を設けずに前記上段横連結材の面内をもって上段避難ステージ８とする場合もある。
また、中段避難ステージ５を省略することもある。【０００９】  こうした津波避難用タワーＴは、例えば、この実施形態のように公園に設置された場合を例示し、このタワーの津波襲来想定側（矢印Ｘ）には、登降手段の１つである直線型で対地震・津波強度をもたせた階段１１が前方（Ｘ側）に基部をまた上端を上段避難ステージ８に連絡するようにして固定設置されている。階段１１の下端座板１１ａは前基礎１２上に載せられて脱着可能に止め付けられている。
尚、この階段１１は図２の仮想線のように中段避難ステージ５に連絡するものにしたり、あるいは上段避難ステージ８と中段避難ステージ５のそれぞれに連絡するような複数本仕立てにしてもよい。各階段１１は一気に登るタイプになっているがその途中に休憩場を設けたものにしてもよい。
同階段１１には、前方（Ｘ方向）から津波流が襲ってきて避難途中の避難者が流し落とされる可能性があることからその上面に強度メンバーとしての天蓋１２を付してある。
そして、同階段１１は、前基礎１２，１３および前記中央基礎１などとの間に渡した補強ステー１４…で固定支持されている。【００１０】  一方、戻り流あるいは返し流（矢印Ｙ）側には、非津波の平常時に前記階段１１を利用して上段避難ステージ８に登った子供らが同ステージ８から後方の砂場１６まで滑り降りて遊ぶことができる滑り台（滑走ローラー方式も含む）１７が固定設置されている。同滑り台１７自体は、対地震・津波強度をもたせたもので作製されて後基礎１８，１９や中央基礎１などとの間に張られた補強ステー１４…により固定されているとともに、その側面には、図２に示すような子供受けする絵画が特殊メッキなどにより描かれている。【００１１】  この滑り台１７は、図２に仮想線で示すように中段避難ステージ５から滑り降りるものにしたりあるいは同避難ステージ５だけでなく上段避難ステージ８からも滑り降りることのできる複数本仕立てにしてもよい。この複数本仕立てにする場合、仮想線の低い滑り台１７は図示よりも緩やかな傾斜のスロープにして津波避難時に車椅子でも登れるようにしてもよい。
各滑り台１７は一気に滑り降りるタイプになっているがその途中に休憩場を設けたものにしてもよい。また、図１に示すように、滑り台１７の両側には落下安全のためのネット２０を付してもよい。同ネット２０は、タワーを引っ張る強靭なものにしてもよい。【００１２】  さらに、図１の左下欄に示すように、滑り台１７と階段１１を併設したタイプとすることもでき、この場合、滑り台１７を使って滑り降りたりその側脇の階段１１を使ってまた登るようにして便利なものとなるし、階段１１は津波避難時にも活用される。この併設タイプを採用することで前方の階段１１は省略することもあるが、前方に階段１１を斜め突っ張り状に設けておけば地震・津波時に強度メンバーとして有効に機能するだけでなく津波時により多くの人を避難させ得るものとなる。この併設タイプにおいては、１本の滑り台１７の両脇に階段１１を備えた幅広タイプにしてもよい。【００１３】  尚、前記津波の襲来する方向は、Ｘ以外に図１のＸ１〜Ｘ３…などその他の方向も想定している。このＸ，Ｘ１〜Ｘ３はタワー前方の海岸線を基準としてそれに直交する方向と規定する。海岸線が湾曲する場合はその接線を基準にしてそれに直交する方向をＸ…とする。
また、階段１１は、図１に仮想線で示すように、Ｘに対し斜め向きのものとしてもよい。この場合、実線で示す階段１１、仮想練で示す２本の階段１１，１１のうちその１本あるいはそれらのうち選択した複数本（３本も含む）で構成することができる。これらの階段１１としては、仮想線で示すように、下段部分が２本に分かれた階段部分ａ、ｂとなってより多くの人を避難させることができるとともにタワーの補強安定化を図ることもできるようにしてもよい。滑り台１７についても図１に仮想線で示すように他の方向に伸ばすことができ、この場合も複数本の滑り台１７…のうちその１本を選択したり複数本を選択することもできる。【００１４】  さらに、階段１１あるいは滑り台１７は、図１に仮想線で示すように、上段（あるいは中段）避難ステージ８の側辺に長手方向を平行に向けた平行設置型にしてもよい。平行設置型の場合もその下側基部はコンクリート基礎を含む地盤側に強固に固定し上部も避難ステージ側に強固に固定してタワーの倒れを有効に防止するものとする。図１の場合、この平行設置型の階段１１あるいは滑り台１７は３本示してあるが、１本でも２本でもよい。この平行設置型の場合、前記階段・滑り台併設タイプを採用することができる。【００１５】  また、タワー前方で階段１１の前方には、独立基礎２１を設けて鋼管あるいはコンクリートパイル状の予備緩衝杭２２…を配備して津波や付随漂着物を予めここで緩衝的に受け留めて階段１１やタワーに衝撃などが掛からないようにすることができる。この予備緩衝杭２２…は、左右間中央が先行配置されその外側のものが後行配置された湾曲線上配置とされて例えば、船舶が漂着した場合でも同船舶が斜め向きになって脇へ流されタワーを護るようにすることができるが、横一列に配備してもよい。【００１６】  この杭２２…は、図１の右下欄に併せて示すように、連結材（ワイヤーロープや棒・パイプなど）２４で互いに連結してもよく、またその連結材２４を支持メンバーとして利用してブランコ２５を構成してもよい。
予備緩衝装置としては、杭によるものの他、図１の右上欄に示すように、左右の山型（あるいはアーチ型など）で埋め込み式にした側部フレーム２７間の上部に陵材２８を連結し、両側部フレーム２７間にワイヤーロープやバーなどの緩衝材２９…を張って仕上げた乗り上げ緩衝装置３０を前方配置してもよい。緩衝材２９…は横向きになっているが縦向きにしてもよいし、メッシュ型にしてもよい。同緩衝材２９…は張ってあるが、大きく緩めた状態で設けると緩衝作用が大きくなる。
また、後基礎（砂場囲い）１８にも戻り流用の予備緩衝杭３１…を設けてもよい。【００１７】  尚、上段避難ステージ８は広くその外周囲には手摺り９が囲まれているため、例えば、その上で盆踊りなどのイベントを行う場合には下方から見えにくい場合もあり、そのため、図２に仮想線で示すように、仮設機材（ローリングタワーなど）で臨時お立ち台３２をセットするようにしてもよい。
また、前記実施形態ではタワー型の避難装置を例としたが、例えば、図１０ないし図１７に示すような屋上を避難ステージとしＲＣ構造（あるいはＳＲＣ構造など）とした生活機能型建造物（既存あるいは新設の公民館や消防署、交番などを含む）を対象にして前記実施形態と同様の構成を実施することもできる（このことは他の実施形態でも同様に適用できる）。【００１８】  図３は他の実施形態を示す。同実施形態は、避難ステージ付きタワーＴに階段３６を設けるとともに後側には滑り台３７を設け、前方には予備緩衝杭３８を立設配備したものにおいて、タワーＴと杭３８との間にロープ３９を張って階段３６の一部に設けた待機台４０上で子供らが待って吊り下がり遊具４１に乗って滑走して遊ぶようなものにしてもよい。ロープ３９はできだけ強靭で耐久性のあるワイヤーロープや樹脂ロープなどがタワーＴ支持のうえから適切である。ロープ３９の下方には安全ネット４２を対応して設けるものとする。
尚、同図のように、杭３８の前方には砂場４３や通常の地盤を介して廃タイヤを横つなぎ式として杭などで固定した予備緩衝手段４４…を配備しておけばこれが平時の遊具ともなるし津波時の緩衝手段にもなる。前記階段３６はスロープでもよいし、階段・スロープ併設型にしてもよい。前記吊りロープ式の遊具は循環運動型にしてもよい。【００１９】  図４は他の実施形態を示す。同実施形態は、避難ステージ付きタワーＴの後側に滑り台４７を備えその両側あるいは一側に左上図のような階段４８を設けたものであって、同タワーＴの前側に遊具の１つとして登り竿４９…を配備したものである。この登り竿４９は下図のようにタワーＴの支柱に一体化して津波襲来時の予備緩衝手段として機能するようにしてもよい。
尚、登り竿４９を使って登ったあとは、前のピラミッドブロック５０とタワーＴとの間に掛け渡した強靭ネット５１を使って降りたり登ったりするように構成してもよい。同ブロック５０それ自体は遊具であるとともに前方からくる津波の予備緩衝手段として機能する。【００２０】  図５の他の実施形態は、タワーＴが４本の支柱５３…により構成されたものに階段５４と滑り台５５を設けた例を示すものである。津波の襲来する方向（想定）は矢印のように異なる。階段５４と滑り台５５の向きや設置数などは図示い限定されない。
図６の他の実施形態は、タワーＴが津波襲来方向に対して前後に並ぶ２本の支柱５８により構築されたものでその前後に階段５９・滑り台６０が配備されている。階段５９と滑り台６０の向きや設置数などは図示に限定されない。【００２１】  図７の他の実施形態は、１本の支柱６２によりタワーＴが構築されたものに階段６３や滑り台６４を装備したものである。
図８の他の実施形態は、３本の支柱６６で構築されたタワーＴの側辺に直交して階段６７や滑り台６８を設けてこれら６７，６８が前開き状をなすようにしたものである。
図９の他の実施形態は、３本の支柱７０で構築されたタワーＴに備えた階段７１が側辺に直交して斜め前向きにである一方滑り台７２が後向きとされた例を示す。その右下図は上からみて円形にした避難ステージ７４からタワーＴの外周回りをラセン状に下がるような滑り台７５を構成したもので、７５は階段を示す。【００２２】  図１０ないし図１６は他の実施形態を示す。前記した生活機能型建造物Ｓの屋上を避難ステージ８０としてその前後（前方は海岸で作業をする人・後方は住宅地に住む人）いずれからでも即座に避難し得るようにしたものである。この建造物Ｓは、図１０の下側すぐに左右に走る道路がありその前方にはガードレールを介してすぐに海がある環境になっている。【００２３】  この建造物Ｓは、同実施形態では新設の消防署として機能するものとされているが、例えば、公民館や交番、一般ビルなどでもよいことは勿論である。建造物Ｓは、地震・津波に充分対抗し得るＲＣあるいはＳＲＣ構造を採用するもので、図１４ないし図１６にその内部構造を示すごとく、後側支柱８１…とそれより本数の多い前側支柱８２…とを骨格とし、特に前壁８３を厚く仕上げてある。８４は２階床壁、８５は屋上床壁で避難ステージ８０を構成する。【００２４】  そして、１階部分には、消防車８６（図１５）が駐車でき出入り可能なスペースが確保されるとともにその収納のため、後側となる面にはシャッター８７が図１２および図１４のように開閉自在に装備されている。２階部分は、図１６にその平面レイアウトを示すごとく玄関８８・物置８９・洗面脱衣所９０・キッチン９１の他、倉庫９２と仮眠室９３を構成した生活機能場所となっている。屋上には、避難ステージ８０回りとなる手摺り９４が設けられている。この手摺り９４の特に前面は目隠し状（パンチング面材を含む）にすることがある。尚、この建造物Ｓの基礎部分は図示省略されている。【００２５】  こうした建造物Ｓの２階部分および避難ステージ８０に登る手段は、建造物Ｓの正面から向かって左脇に立設された階段外フレーム９６と複数の直線型階段で構成された登降手段９５で構成されている。階段外フレーム９６は、建造物Ｓと同じ高さとした４本の支柱９７…と、これらの間を上下数段階に渡って連結する連結梁９８…とでなり、図示しない基礎部分に強固に固定立設されている。尚、このフレーム９６は建造物Ｓ側に対し少しの流通隙間を存し、この隙間を通じて津波流が上方などへ抜け出すようになっている。【００２６】  登降手段９５は、フレーム９６に連結（連結個所は図示省略）された階段でなり、具体的には、海側から登ることのできる海側第１階段１００と住居側から登ることのできる山側第１階段１０１を１階下部の階段として備え、その上部には両階段１００，１０１からの人の共用踊り場１０２が設けられている。その上部には、第２階段１０３と第３階段１０４とが折り返し式に構成され、その上側に前方へ広く突き出す２階踊り場１０５が構成されてこれが前記２階の玄関８８へ通じるようになっている。【００２７】  ２階踊り場１０５からは第４階段１０７・第５階段１０８を通じて避難ステージ８０に避難することができるようになっている。
前記建造物Ｓの前方Ｘには、丸鋼管製の予備緩衝杭１０９…が複数本離間して立設固定されている。この予備緩衝杭１０９は横１列に並んでいるが、前方凸状の湾曲配置にしてもよい。また、同杭１０９の外周にはゴムタイヤなどの弾性緩衝部材を付帯させてもよい。
１１０は避雷針、１１１は屋上の収納庫で、同収納庫１１１には、救助用具セットや非常食料・飲料などを収納するものとする。【００２８】  尚、建造物Ｓのシャッター１１２はそれが後面にあると破損してしまうため、図１７のように左右一側にくるようにレイアウトすればそうした損害はなくなる。１１３は流れガイドでシャッター１１２へ津波流Ｘや戻り流Ｙが流れ込まないようにするためのものである。１１４は前階段、１１５は後階段でそれぞれ海側と山側から避難ステージ１１６へ避難可能にするものであり、これらを併せたものとして建造物Ｓの横サイドに共用階段１１７を立設固定してもよい。【００２９】  図１８の右欄図は、トラフ１２０の従来型の横断面形状を示すもので、同トラフ１２０は、５０〜６０ｃｍの四角樋型のもので図面に直交する方向に４〜６ｍ前後の長い部材とされる。このトラフ１２０は、水処理施設の沈澱池内に水面を境にして上下にくるように固定して設けられるもので、左図のように沈澱池水面上に浮遊するスカム（浮遊物質）を多少の水とともに受け入れて長手方向に流して外部に処理するように機能する。【００３０】  従来このトラフ１２０は、ステンレス製であったが、近年、鉄資源不足や船舶・車両向けの需要増加その他の理由から材料の高騰や納期の遅れを招いている。それとともに高齢化による職人不足から加工費が上がっているなどステンレスを選択してきたことによる問題は多い。
そのことから、図１８の左欄図のように、トラフ１２１を近年捨てられている杉や桧などの間伐材（板・角材など）を組み合わせて構成して前記問題を解消しようとしたものである。同例のトラフ１２１は、底板１２２・後板１２３・前板１２４の３枚の長い板を間伐材で造り、これらを間伐材あるいは金属アングルなどによるコーナー連結材１２５により連結してなるものである。このトラフ１２１の前後上端には、前受材１２６と後受材１２７を嵌着し、前受材１２６上には上下に膨張・収縮可能なゴム質の堰１２８が図示しない止着具により取付られ、これを押さえアングル１２９にて作動させるようにしてある。アングル１２９の作動機構はここで省略されているが、同アングル１２９により堰１２８が水面以下に押し下げられると前記スカムが矢印のように流れ込み、堰１２８が自らの男性で持ち上げ復帰するとスカムの呑み込みが停止される。尚、ここに使用される間伐材は、塗装が施されたりＦＲＰの着装仕上げにより腐食などの保護対策が採られる。【００３１】  図１９（平面図）のように底板１３１とその４辺から立ち上がる立板とにより四角受皿型に形成されたトラフ１３２の４辺に堰１３３…を配備したタイプのスカム除去装置の前記トラフ１３２にも間伐材の適用が可能である。【００３２】  図２０の装置は、汚泥が沈降してくる沈澱池の底壁１３４上にはガイドレール１３５が池幅間中央を通るように固定され、その上を走行輪１３６を介して汚泥掻寄装置１３７を直線往復運動化にしてスクレーパ１３８で掻き寄せた汚泥を左のピット１３９内に掻き落とすようにしたものである。
この装置は、前後に車台１４０…を配備しこれらの間を図２１のようなフランジ１４１付き連結パイプ１４２で接続し、その中を１本の連動シャフト１４３が通り、このシャフト１４３により前後複数枚のスクレーパ１３８が垂直あるいは水平に駆動されるようにしたものである。そのための構造として、リンクチェーン１４４の下周りをガイドレール１３５内を通し上回りをガイドレール１３５上にくるようにして矢印のようにリンクチェーン１４４を往復駆動することで前記連動シャフト１４３を駆動するようにしてある。【００３３】  しかし、従来の連結パイプ１４２がステンレス製であったため、前記と同様の問題がでてきた。そのことから、図２２に示すように、この連結パイプに相当するものとして間伐材使用の角材型連結材１４５を多用することとした。１４６はガイドローラー、１４７は連結シャフトで、これらについては樹脂や金属を使用するものとする。【００３４】  また、従来のガイドレール１３５については、図２３のようにステンレス製溝型鋼を使ってレール本体１４９を構成してきたが、これも右下欄のように間伐材を使ったレール本体１５０により前記問題を解消するようにする。このレール本体１５０は、図２４に示すように構成される。レール本体１５０の角には金属製アングル１５１が使用されその上を走行輪１３６が転動するようにするとともに、中央のリンクチェーン１４４を案内するためのチェーンガイド１５２は樹脂や金属アングル材を使用するものとする。図２５に示すようにレール本体１５０上にリンクチェーン１４４の案内カバー１５３を配備した場合には、その下方空間にモルタル１５４を埋設してもよい。尚、ここに使用される間伐材は、塗装が施されたりＦＲＰの着装仕上げにより腐食などの保護対策が採られる。【００３５】  図２６および図２７は他の提案例を示すもので、沈澱池１５６には臭い対策や藻防止対策として覆蓋が設けられているが、従来はＦＲＰやアルミ、ステンレス製などによるものが殆どであり、その面でも前記のような問題がでてきた。そのため、この例のように、覆蓋１５７を間伐材製としたものである。この場合、臭気が逃げないように図２７のような蟻溝継ぎ手１５８によりつなぐものとし、その間をシールやパッキンで密閉化するようにするとともに、図２６に示すように上面にはソーラーパネル１５９…を設置可能とする。尚、ここに使用される間伐材は、塗装が施されたりＦＲＰの着装仕上げにより腐食などの保護対策が採られる。
【図面の簡単な説明】
【００３６】
【図１】  本発明の一実施形態を示す図２の平面図。
【図２】  図１の正面図。
【図３】  他の実施形態を示す側面図。
【図４】  他の実施形態を示す側面図。
【図５】  他の実施形態を示す平面図。
【図６】  他の実施形態を示す平面図。
【図７】  他の実施形態を示す平面図。
【図８】  他の実施形態を示す平面図。
【図９】  他の実施形態を示す平面図。
【図１０】  他の実施形態を示す平面図。
【図１１】  図１０の正面図。
【図１２】  図１１の背面図。
【図１３】  図１１の左側面図。
【図１４】  図１１の縦断面図図。
【図１５】  図１１の１階部分の横断面図。
【図１６】  図１１の２階部分の横断面図。
【図１７】  他の実施形態を示す平面図。
【図１８】  付加的な提案例を示す横断面図。
【図１９】  他の実施形態を示す平面図。
【図２０】  他の実施形態を示す側面図。
【図２１】  従来の構造例を示す斜視図。
【図２２】  付加的な提案例を示す斜視図。
【図２３】  ガイドレールの従来例と付加的な提案例を示す斜視図。
【図２４】  図２３の提案例を構成した横断面図。
【図２５】  図２３の提案例を構成した横断面図。
【図２６】  覆蓋に間伐材を使用した例を示す縦断面図。
【図２７】  図２７の横断面図。
【符号の説明】
【００３７】  ２…支柱  ８…避難ステージ  １１…階段  １７…滑り台。
【図１】
2008088792.tif 000003
【図２】
2008088792.tif 000004
【図３】
2008088792.tif 000005
【図４】
2008088792.tif 000006
【図５】
2008088792.tif 000007
【図６】
2008088792.tif 000008
【図７】
2008088792.tif 000009
【図８】
2008088792.tif 000010
【図９】
2008088792.tif 000011
【図１０】
2008088792.tif 000012
【図１１】
2008088792.tif 000013
【図１２】
2008088792.tif 000014
【図１３】
2008088792.tif 000015
【図１４】
2008088792.tif 000016
【図１５】
2008088792.tif 000017
【図１６】
2008088792.tif 000018
【図１７】
2008088792.tif 000019
【図１８】
2008088792.tif 000020
【図１９】
2008088792.tif 000021
【図２０】
2008088792.tif 000022
【図２１】
2008088792.tif 000023
【図２２】
2008088792.tif 000024
【図２３】
2008088792.tif 000025
【図２４】
2008088792.tif 000026
【図２５】
2008088792.tif 000027
【図２６】
2008088792.tif 000028
【図２７】
2008088792.tif 000029